(57)【要約】【課題】  筒型電池において、より効果的に液漏れを防止する。【解決手段】  有底円筒状の正極缶内に、正極合剤と、セパレータと、負極ゲルとが収納され、正極缶の開口に負極端子板が封口ガスケット７０を介して嵌着されてなる筒型電池であって、封口ガスケット７０のボス部７１が有する貫通孔に負極端子板に固設されている棒状の集電子５１がその頭部５１ａ表面とボス部上面７２とが密接するように圧入状態で貫通挿入されており、ボス部７１に設けられている貫通孔の集電子５１に面する内周端縁部に、集電子５１と貫通孔内周面７４との間を少なくとも液密に封止する封止層を形成するための封止剤を貯留する封止剤貯留部７３が形成されている。【選択図】図１
2015176655.tif 000002
【特許請求の範囲】
【請求項１】
有底円筒状の電池缶内に、環状の正極合剤と、当該正極合剤の内側に配置される有底円筒状のセパレータと、当該セパレータの内側に配置される負極ゲルとが収納されているとともに、前記電池缶の開口に負極端子板が封口ガスケットを介して嵌着されてなる筒型電池であって、
前記封口ガスケットは、略円盤状に一体的に成形された樹脂からなり、前記円盤の中心にて上下方向に中空円筒状に突設されているボス部を有し、
前記封口ガスケットの前記ボス部が有する貫通孔に前記負極端子板に固設されている棒状の集電子が、前記集電子端部に拡径部として形成されている頭部表面と前記ボス部の上面とが密接するように圧入状態で貫通挿入されており、
前記ボス部に設けられている前記貫通孔の前記集電子に面する内周端縁部に、前記集電子と前記貫通孔内周面との間を少なくとも液密に封止する封止層を形成するための封止剤を貯留する封止剤貯留部が形成されている、
ことを特徴とする筒型電池。
【請求項２】
前記封止剤貯留部は、前記ボス部の前記貫通孔内周端縁部と、前記頭部表面と、前記集電子外周面とによって画成される略環状の空間として形成されることを特徴とする、請求項１記載の筒型電池。
【請求項３】
有底円筒状の電池缶内に、環状の正極合剤と、当該正極合剤の内側に配置される有底円筒状のセパレータと、当該セパレータの内側に配置される負極ゲルとが収納されているとともに、前記電池缶の開口に負極端子板が封口ガスケットを介して嵌着されてなり、
前記封口ガスケットは、略円盤状に一体的に成形された樹脂からなり、前記円盤の中心にて上下方向に中空円筒状に突設されているボス部を有し、
前記封口ガスケットの前記ボス部が有する貫通孔に前記負極端子板に固設されている棒状の集電子が、前記集電子端部に拡径部として形成されている頭部表面と前記ボス部の上面とが密接するように圧入状態で貫通挿入されており、
前記ボス部に設けられている前記貫通孔の前記集電子に面する内周端縁部に、前記集電子と前記貫通孔内周面との間を少なくとも液密に封止する封止層を形成するための封止剤を貯留する封止剤貯留部が形成されている筒型電池の製造方法であって、
前記ボス部に前記集電子を挿入する際に、前記集電子外周部の前記頭部と前記ボス部上面との間の領域の少なくとも一部に前記封止剤を環状に塗布した後、前記ボス部上面を前記頭部表面に対して一時的に圧接させて、前記封止剤を前記集電子外周面と前記ボス部の前記貫通孔内周面との間に供給する工程を含む、
ことを特徴とする筒型電池の製造方法。
【発明の詳細な説明】
【技術分野】
【０００１】
本発明は、筒型電池及び筒型電池の製造方法に関する。
【背景技術】
【０００２】
筒型電池は、アルカリ電池等の一次電池として各種電気機器に広く使用されている。従来の一般的な筒型電池の構成例が、特許文献１（特開２０１３−５４８５９）に示されている。この構成の詳細については、本願発明の実施形態に関して後述するが、概略有底円筒状の正極缶と、その内部に環状に配置されている正極合剤を有し、正極合剤の内側にはセパレータを介してゲル状負極合剤が充填されている。正極合剤内には、正極缶の開口側から棒状の集電子が挿入されるが、その集電子には負極端子板が固設されている。集電子には液漏れ等を防ぐとともに、電池の内圧が上昇した場合にこれを逃がして破裂を防ぐための封口ガスケットが嵌められる。具体的には、封口ガスケットは略円筒状のボス部とボス部から円盤状に展開する円盤部を備える。筒型電池の組み立てにあたっては、集電子を封口ガスケットのボス部に貫通させ、集電子をゲル状負極合剤内に差し込んだ状態で、封口ガスケット及び負極端子板をともに正極缶の開口縁でかしめつけて完成する。
【０００３】
封口ガスケットによる電池内部のシール性を確保するために、前記集電子は前記封口ガスケットのボス部に設けられている貫通孔に締まりばめ状態となるように圧入される。さらに、ボス部の端面と集電子頭部表面との境界面における封止性を高めるために、その境界面に封止剤を介在させるようにしている。この場合、封止剤は上記した電池組み立て時に集電子の外周表面に塗布される。集電子を封口ガスケットの貫通孔に挿通させると、集電子がボス部に圧入される際に封止剤はボス部の貫通孔内周縁によって上方へとかき取られていき、ボス部上面と集電子頭部との間に溜まって両者の境界面を封止するようになる。この場合、集電子の外周面と貫通孔内周面との間には、前記のかき取りにより封止剤はほとんど残留しないこととなっている。
【先行技術文献】
【特許文献】
【０００４】
【特許文献１】特開２０１３−５４８５９号公報
【発明の概要】
【発明が解決しようとする課題】
【０００５】
しかしながら、以上説明したような、特許文献１に例示されているもの等の従来の筒型電池では、ボス部と集電子との間に封止剤が介在しないため、調達部品の問題、製造工程における問題等に起因して、封口ガスケットのボス部貫通孔内面、あるいは集電子外周面に傷が生じている場合、あるいは経時的にボス部と集電子との嵌め合い状態が緩んでくると、集電子をボス部に圧入したことによる封止効果が薄れてきて、電池内部の電解液がボス部と集電子との間の微小な隙間を通って外部に至り液漏れ状態となるおそれがあるという問題があった。
【０００６】
本発明は、上記のような問題点を解決するためになされたもので、筒型電池において、より効果的に液漏れを防止する事が可能な筒型電池及び筒型電池の製造方法を提供することを一つの目的としている。
【課題を解決するための手段】
【０００７】
前記の、及び他の問題点を解決するために、本発明の一つの態様は、有底円筒状の電池缶内に、環状の正極合剤と、当該正極合剤の内側に配置される有底円筒状のセパレータと、当該セパレータの内側に配置される負極ゲルとが収納されているとともに、前記電池缶の開口に負極端子板が封口ガスケットを介して嵌着されてなる筒型電池であって、前記封口ガスケットは、略円盤状に一体的に成形された樹脂からなり、前記円盤の中心にて上下方向に中空円筒状に突設されているボス部を有し、前記封口ガスケットの前記ボス部が有する貫通孔に前記負極端子板に固設されている棒状の集電子が、前記集電子端部に拡径部として形成されている頭部表面と前記ボス部の上面とが密接するように圧入状態で貫通挿入されており、前記ボス部に設けられている前記貫通孔の前記集電子に面する内周端縁部に、前記集電子と前記貫通孔内周面との間を少なくとも液密に封止する封止層を形成するための封止剤を貯留する封止剤貯留部が形成されていることを特徴とする。
【０００８】
また、本発明の他の態様は、有底円筒状の電池缶内に、環状の正極合剤と、当該正極合剤の内側に配置される有底円筒状のセパレータと、当該セパレータの内側に配置される負極ゲルとが収納されているとともに、前記電池缶の開口に負極端子板が封口ガスケットを介して嵌着されてなり、前記封口ガスケットは、略円盤状に一体的に成形された樹脂からなり、前記円盤の中心にて上下方向に中空円筒状に突設されているボス部を有し、前記封口ガスケットの前記ボス部が有する貫通孔に前記負極端子板に固設されている棒状の集電子が、前記集電子端部に拡径部として形成されている頭部表面と前記ボス部の上面とが密接するように圧入状態で貫通挿入されており、前記ボス部に設けられている前記貫通孔の前記集電子に面する内周端縁部に、前記集電子と前記貫通孔内周面との間を少なくとも液密に封止する封止層を形成するための封止剤を貯留する封止剤貯留部が形成されている筒型電池の製造方法であって、前記ボス部に前記集電子を挿入する際に、前記集電子外周部の前記頭部と前記ボス部上面との間の領域の少なくとも一部に前記封止剤を環状に塗布した後、前記ボス部上面を前記頭部表面に対して一時的に圧接させて、前記封止剤を前記集電子外周面と前記ボス部の前記貫通孔内周面との間に供給する工程を含むことを特徴とする。
【発明の効果】
【０００９】
本発明の一態様によれば、筒型電池において、より効果的に液漏れを防止することができる。
【図面の簡単な説明】
【００１０】
【図１】図１は、本発明の一実施形態に係る筒型アルカリ電池の集電子５１と封口ガスケットボス部７１との係合部の構成を例示する部分拡大断面図である。
【図２Ａ】図２Ａは、図１に例示する構成を有する筒型アルカリ電池の組み立て手順を示す模式図である。
【図２Ｂ】図２Ｂは、図１に例示する構成を有する筒型アルカリ電池の組み立て手順を示す模式図である。
【図２Ｃ】図２Ｃは、図１に例示する構成を有する筒型アルカリ電池の組み立て手順を示す模式図である。
【図３Ａ】図３Ａは、本発明の他の実施形態に係る、図１に例示する筒型アルカリ電池の集電子５１と封口ガスケットボス部７１との係合部の構成例を示す部分拡大断面図である。
【図３Ｂ】図３Ｂは、本発明の他の実施形態に係る、図１に例示する筒型アルカリ電池の集電子５１と封口ガスケットボス部７１との係合部の構成例を示す部分拡大断面図である。
【図３Ｃ】図３Ｃは、本発明の他の実施形態に係る、図１に例示する筒型アルカリ電池の集電子５１と封口ガスケットボス部７１との係合部の構成例を示す部分拡大断面図である。
【図４】図４は、本発明の一実施形態に係る筒型アルカリ電池の全体構成例を示す模式図である。
【発明を実施するための形態】
【００１１】
以下に、添付図面を参照して、本発明の実施形態を更に具体的に説明する。なお、本発明は、それらの実施形態に限定されるものではない。
【００１２】
まず、図４に、本実施形態に係る筒型アルカリ電池１の構成例を示す縦断面図を示している。このアルカリ電池１は、ＬＲ６タイプ（単３形）の電池である。
【００１３】
図４に示されるように、アルカリ電池１は、有底筒状の正極缶１０（電池缶）と、その正極缶１０の内面に沿って嵌着されたリング状の正極合剤２０と、正極合剤２０の内側に挿入される有底筒状のセパレータ３０と、正極缶１０の中心部となるセパレータ３０の中空部に配置されるゲル状負極合剤４０と、正極缶１０の開口部１０ａに装着される封口体５０とを備える。
【００１４】
正極缶１０は、例えばニッケルメッキ鋼板を有底筒状にプレス成形することによって形成され、その底部の中央に正極端子１２が突設されている。正極合剤２０は、例えば電解二酸化マンガン、黒鉛、水酸化カリウム、及びバインダを混合した正極合剤粉を整粒した後、これを円筒状にプレス成形することで作製される。
【００１５】
セパレータ３０は、正極合剤２０とゲル状負極合剤４０との間を電気的に分離する絶縁材料であり、ビニロン・レーヨン不織布、ポリオレフィン・レーヨン不織布などのセパレータ原紙を円筒状に巻回し、重なり合う部分を熱融着させることで作製される。
【００１６】
ゲル状負極合剤４０は、水と酸化亜鉛と水酸化カリウムとを混ぜて溶解し、ポリアクリル酸などのゲル化剤と亜鉛粉とを混合することで作製される。
【００１７】
封口体５０は、負極端子板６０、負極集電子５１（以下「集電子５１」）、及び封口ガスケット７０を備えて構成されている。正極缶１０の開口部１０ａ付近には、封口体５０を載置するためのビード部１１が形成されている。そして、そのビード部１１上に封口体５０を載置した状態で、正極缶１０の開口部１０ａにカール及び絞り加工を施すことにより、正極缶１０が封口されている。言い換えると、アルカリ電池１の正極缶１０は、開口部１０ａを径方向（横断方向）に収縮させてかしめることにより封口されている。
【００１８】
封口体５０は、真鍮を用いて棒状に形成された胴部（後出の図１等において符号５１ｂで示す。）を有する集電子５１をその基端側の頭部（後出の図１等において符号５１ａで示す。）で負極端子板６０の裏面に抵抗溶接するとともに、集電子５１の頭部５１ａと胴部５１ｂとの接続部分である首部に封口ガスケット７０を嵌着することによって形成されている。集電子５１の先端側は、ゲル状負極合剤４０の中に挿入されている。
【００１９】
負極端子板６０は、正極缶１０と同じくニッケルメッキ鋼板をプレス成形することによって作製され、封口ガスケット７０を介して正極缶１０の開口部１０ａを封止している。負極端子板６０は、円形皿状に形成され、その外縁部６０ａはほぼ直角に折り曲げられている。負極端子板６０の外周つば状の部位には、複数のガス抜き穴６１が設けられている。
【００２０】
封口ガスケット７０は、樹脂材料を用いて射出成形された樹脂成形品である。封口ガスケット７０の形成材料としては、６，１２ナイロン樹脂、６，１０ナイロン樹脂、６，６ナイロン樹脂などのポリアミド樹脂が好適に用いられる。封口ガスケット７０は、中心部に配置されている筒状のボス部７１と、ボス部７１から径方向外方に展開するように設けられている環状の円盤部７２とを備える。ボス部７１の中心部には貫通孔が設けられ、集電子５１が締まりばめ状態で挿通されている。封口ガスケット７０は、電極ショート等によりガスが発生してアルカリ電池１内部の圧力が高まった場合に、例えば円盤部７２とボス部７１との薄い接続部分において、あらかじめ設定した所定の圧力値付近で破断するように構成されている。これにより、高まった電池内圧は、発生したガスが破断部から負極端子板６０のガス抜き穴６１を通じて外気に放出されることにより低減され、アルカリ電池１の破裂は防止される。
【００２１】
次に、以上説明した筒型アルカリ電池１の全体構成例を前提として、本発明の一実施形態に係る筒型アルカリ電池１の本発明と関連する部分について説明する。図１に、本発明の一実施形態に係る筒型アルカリ電池１の集電子５１と封口ガスケットボス部７１との係合部の構成を例示する部分拡大断面図を示している。図１において、図４に図示した構成要素と同一の構成要素には同一の参照符号を付して示し、詳細な説明は省略する。これは以下の明細書中において同様とする。
【００２２】
図１に例示する部分拡大断面図には、本発明の実施形態による筒型アルカリ電池１の集電子５１と封口ガスケット７０との組み付け関係が例示されている。集電子５１は、前述のように、円形横断面を有する棒状の胴部５１ｂと、胴部５１ｂよりも大なる直径を有して胴部５１ｂと同心にその一端部に一体的に形成されている肉厚円盤状の頭部５１ａとから構成されている。封口ガスケット７０は貫通孔が設けられた略円筒状のボス部７１を有し、集電子５１は、頭部５１ａがボス部７１の上面７２に当接する状態となるようにボス部７１に差し込まれている。
【００２３】
集電子５１の胴部５１ｂの直径は、ボス部７１の内周面７４によって画成される貫通孔の内径よりも大で、ボス部７１の貫通孔に胴部５１ｂが圧入されて締まりばめの関係となるように設定されている。これは、ボス部７１の内周面７４と集電子５１の胴部５１ｂとの境界面に空隙が生じ、封口ガスケット７０によって封止されているゲル状負極合剤４０が前記境界面を通じて外部に漏出することを防ぐためである。本実施形態では、さらにこの境界面を少なくとも液密に封止するための封止層を形成するようにしている。封止層は、境界面に介在する封止剤によって形成される。
【００２４】
封止層を形成するための具体的な構成例について以下説明する。図１に例示するように、ボス部７１の上面７２側の貫通孔内周端周縁部（開口周縁部）には貫通孔内方に凸なＲ部が設けられている。Ｒ部の寸法は、集電子５１の頭部５１ａがボス部７１の上面７２と密接することが可能となるように設定する。その場合、集電子５１の胴部５１ｂをボス部７１の貫通孔に挿通させてボス部７１の上面７２が集電子５１の頭部５１ａ表面と密接するようにすると、前記Ｒ部が形成されているために、ボス部７１の貫通孔内周端縁部と、集電子５１の頭部５１ａ表面と、集電子５１の胴部５１ｂ外周面とによって画成される略環状の空間７３が画成される。本実施形態では、この空間７３を、ボス部７１の内周面７４と集電子５１の胴部５１ｂとの境界面に封止剤を圧入して適切な封止層を形成するために用いている。以下、この空間７３を「封止剤貯留部７３」という。
【００２５】
次に、上記の構成を有する筒型アルカリ電池１において、前記の封止層を形成するために採用される組み立て手順の例を説明する。図２Ａ〜図２Ｃに、封止層の形成に関連する組み立て手順例を模式的に示している。図２Ａに示すように、頭部５１ａが負極端子板６０に固設されている集電子５１の胴部５１ｂの周囲を実質的に一周するように封止剤Ｓを塗っておく。封止剤Ｓを塗る部位は、集電子５１の頭部５１ａから胴部５１ｂの先端に向かって、封口ガスケット７０が有するボス部７１の長さの範囲内とすることが適当である。これは、ボス部７１の内周面７４と集電子５１の胴部５１ｂとの間に封止層を形成するためである。胴部５１ｂに塗る封止剤Ｓの量は、封止剤貯留部７３の容積と、ボス部７１の内周面７４と集電子５１の胴部５１ｂとの間に形成すべき封止層の厚さ及び面積から理論的に算出される所要体積を満足するように設定すればよい。要は、封止剤貯留部７３の容積を勘案して、ボス部７１の内周面７４と集電子５１の胴部５１ｂとの間を少なくとも液密に封止するに足るだけの封止剤Ｓを塗布すればよく、この技術思想に基づいて封止剤Ｓの塗布量及び封止剤貯留部７３の断面形状、寸法は適宜に決定することができるものである。
【００２６】
次に、図２Ｂに例示するように、図２Ａの状態から集電子５１の胴部５１ｂをボス部７１の貫通孔に挿通させていく。そして、図示のように、ボス部７１の上面７２を集電子５１の頭部５１ａ表面に対して一時的に圧接させる。言い換えれば、頭部５１ａがボス部７１の上面７２に当接した後、さらに適宜の深さだけ頭部５１ａがボス部７１の上面７２を押圧変形させて沈み込むようにする。このとき、集電子５１の胴部５１ｂ周囲に塗布されていた封止剤Ｓは、ボス部７１の貫通孔内周面７４が胴部５１ｂの外周面に密接しながら上方に摺動していく過程で封止剤貯留部７３内に集積される。そして、集電子５１の頭部５１ａがボス部７１の上面７２に沈み込むように押し込まれる際に、封止剤貯留部７３内に貯められていた封止剤Ｓはボス部７１の貫通孔内周面７４と集電子５１の胴部５１ｂ外周面との間に圧入されて封止層を形成する。封止剤貯留部７３内の封止剤Ｓは同時に集電子５１の頭部５１ａとボス部７１の上面７２との間も埋めるように外方へ広がる。
【００２７】
次いで、図２Ｃに例示するように、ボス部７１をわずかに集電子５１の胴部５１ｂ先端方向へ戻し、集電子５１の頭部５１ａとボス部７１の上面７２がほぼ当接する位置となるようにする。以上の組み立て手順例によれば、封口ガスケット７０のボス部７１内周面７４と集電子５１の胴部５１ｂ外周面との間、及び集電子５１の頭部５１ａとボス部７１の上面７２との間は液密状態となるように適切に封止される。
【００２８】
なお、以上の実施形態では、ボス部７１の貫通孔開口周縁に貫通孔内方に凸なＲ部を設ける構成を例示したが、内方に凸なＲ部に代えて、図３Ａに例示するように、貫通孔開口周縁に面取り部を設ける構成、図３Ｂに例示するように、貫通孔内方貫通孔開口周縁に適宜の寸法の座ぐり部を設ける構成（この場合、封止剤貯留部７３の断面形状は矩形である。）、あるいは貫通孔開口周縁に貫通孔内方に凹なＲ部を設ける構成を採用して封止剤貯留部７３を形成するようにしてもよい。その場合も、前記の技術思想にしたがって封止剤貯留部７３が適切な容積となるように、形状と寸法を決定することができる。また、ボス部７１の貫通孔開口周縁を上記以外の適宜の形状に加工することも自由である。
【００２９】
次に、本実施形態に係るＬＲ６タイプ（単３形）筒型アルカリ電池１において、図１に例示したボス部７１の貫通孔内方に凸なＲ部を設けた場合の封止層形成の効果について、Ｒ部の寸法を変えて試験した結果を説明する。表１に示すように、Ｒ部の半径Ｒを０．１mmから０．９mmまで、０．１mmピッチで変えて、集電子５１の胴部５１ｂとボス部７１の貫通孔内周面７４との境界面の封止剤Ｓの塗布状態を調べた。調査の手法としては、それぞれ封口ガスケット７０のボス部７１と封口体５０の集電子５１とを前記の手順で組み付けた後、ボス部７１を切り開いて境界面の封止剤塗布状態を調べることとした。なお、表１において、断面積は、対応するＲの値に対する図１の網掛け部の断面積を、ボス部上面貫通孔開口直径（図１の符号φ２）は、ボス部７１の上面７２における開口直径、言い換えれば、上面７２において平面から貫通孔側の曲面に移行開始する境界点が描く円の直径を示しており、対応するＲの値が大となれば同様に大となる。なお、試験に用いたＬＲ６タイプ（単３形）筒型アルカリ電池では、集電子５１の胴部５１ｂの直径は１．３mm、頭部５１ａの直径（図１の符号φ１）は２．８mmである。
【００３０】
【表１】
2015176655.tif 000003
【００３１】
表１に示すように、Ｒの値が０．２mm〜０．７mmの範囲では、封口ガスケット７０のボス部７１内周面７４と集電子５１の胴部５１ｂ外周面との境界面は適切に封止剤Ｓが塗布された状態であって、適切な封止状態が得られていることがわかった。一方、Ｒの値が０．１mmであった場合は境界面の封止剤塗布状態が適切でなかったが、これは、Ｒの値が小さすぎて封止剤貯留部７３の容積が適切に確保できなかったため、境界面に十分な封止剤Ｓを供給することができなかったことが原因と考えられる。また、Ｒの値が０．８mm、０．９mmであった場合にも、境界面の封止剤塗布状態が適切でなかったと判定されたが、これは、対応するボス部上面貫通孔開口直径からも明らかなように、Ｒの値が大きすぎて当該開口直径が集電子５１の頭部５１ａの直径より大となり、封止剤Ｓが頭部５１ａとボス部上面７２との間隙から漏出したことが原因と考えられる。
【００３２】
次に、表１の場合と同様のＬＲ６タイプ（単３形）筒型アルカリ電池１において、図３Ａに例示したボス部７１の貫通孔内方に面取り部を設けた場合の封止層形成の効果について、面取り寸法を変えて試験した結果について説明する。表２に示すように、面取り寸法Ｃを０．１mmから０．９mmまで、０．１mmピッチで変えて、集電子５１の胴部５１ｂとボス部７１の貫通孔内周面７４との境界面の封止剤Ｓの塗布状態を調べた。調査の手法も表１の場合と同様である。なお、表２において、断面積は表１と同様であるが、ボス部上面貫通孔開口直径は、ボス部７１の上面７２における開口直径、言い換えれば、上面７２において平面から面取り部の斜面に移行開始する境界点が描く円の直径を示しており、対応するＣの値が大となれば同様に大となる。
【００３３】
【表２】
2015176655.tif 000004
【００３４】
表２に示すように、試験結果は表１の場合と同傾向であり、Ｃの値が０．２mm〜０．７mmの範囲では、封口ガスケット７０のボス部７１内周面７４と集電子５１の胴部５１ｂ外周面との境界面は適切に封止剤Ｓが塗布された状態であって、適切な封止状態が得られていることがわかった。一方、Ｃの値が０．１mmであった場合は境界面の封止剤塗布状態が適切でなかったが、これは、Ｃの値が小さすぎて封止剤貯留部７３の容積が適切に確保できなかったため、境界面に十分な封止剤Ｓを供給することができなかったことが原因と考えられる。また、Ｃの値が０．８mm、０．９mmであった場合にも、境界面の封止剤塗布状態が適切でなかったと判定されたが、これは、対応するボス部上面貫通孔開口直径からも明らかなように、Ｃの値が大きすぎて当該開口直径が集電子頭部５１ａの直径より大となり、封止剤Ｓが頭部５１ａとボス部上面７２との間隙から漏出したことが原因と考えられる。
【００３５】
なお、図３Ｂ、図３Ｃに例示したような、封止剤貯留部７３の断面形状が異なる構成の筒型電池にあっても、その断面積の条件が表１、表２の結果と合致するように断面形状及び寸法を決定することにより、同様の効果を得ることができるものである。
【００３６】
以上詳細に説明したように、本発明の実施形態に係る筒型アルカリ電池１によれば、集電子５１と封口ガスケット７０のボス部７２との間を、封止剤Ｓによって形成された封止層をもって適切に封止することが可能となり、電池の液漏れを効果的に防止することが可能となる。
【００３７】
なお、本発明の実施形態について、ＬＲ６タイプ（単３形）筒型（円筒形）アルカリ電池１を例にとって説明したが、本発明は、アルカリ電池以外の形式の電池にも適宜適用することができる。また、適用する電池の容量タイプはＬＲ６タイプ（単３形）以外であってもよく、その場合には集電子５１の寸法に合わせて適宜封止剤貯留部７３の断面形状、寸法を変更すれば、同様の効果を得ることが可能である。
【符号の説明】
【００３８】
１  筒型アルカリ電池    １０  正極缶    １０ａ  開口部
２０  正極合剤    ３０  セパレータ    ４０  ゲル状負極合剤
５０  封口体    ５１  負極集電子    ５１ａ  頭部    ５１ｂ  胴部
６０  負極端子板    ７０  封口ガスケット    ７１  ボス部
７２  円盤部    ７３  封止剤貯留部    ７４  ボス部内周面
【図１】
2015176655.tif 000005
【図２Ａ】
2015176655.tif 000006
【図２Ｂ】
2015176655.tif 000007
【図２Ｃ】
2015176655.tif 000008
【図３Ａ】
2015176655.tif 000009
【図３Ｂ】
2015176655.tif 000010
【図３Ｃ】
2015176655.tif 000011
【図４】
2015176655.tif 000012